(57)【特許請求の範囲】
【請求項１】
筐体に出し入れ可能に配置された外引出しと、
前記筐体に出し入れ可能に配置され前記外引出しの内部上方に設けられた内引出しと、  前記筐体の内側面に前記外引出しと前記内引出しの移動方向に沿って設けられたカム部材と、
前記筐体の内側面に前記外引出しと前記内引出しの移動方向に揺動可能に設けられ、揺動中心から離間した位置の第１当接ピンと、前記揺動中心から前記第１当接ピンより離れた位置の第２当接ピンとが形成された揺動アームを備えたアシスト部材と、
前記外引出しに設けられ、前記外引出しの引出し方向の位置に応じて前記カム部材により上方への突出量を調整されると共に、前記第２当接ピンと当接して、前記揺動アームを前記引出し方向へ揺動するラッチと、
前記内引出しに設けられ、前記揺動アームが前記引出し方向へ揺動することで、前記第１当接ピンと当接して、前記内引出しを引出し方向へ移動させるストライカーと、
を有する引出し連動装置。
【請求項２】
前記カム部材は、前記ラッチを前記第２当接ピンに当接させるための第１カム面と、前記第１カム面より前記引出し方向で且つ上方に形成され前記ラッチを前記ストライカーに当接させるための第２カム面と、を有する請求項１に記載の引出し連動装置。
【請求項３】
前記ストライカーに形成され、前記内引出しを収納方向へ移動することで、前記第１当接ピンと係合して前記揺動アームを待機位置に戻すための係合部を有する請求項１または請求項２に記載の引出し連動装置。
【請求項４】
前記揺動アームは自重によって垂下位置に戻ると共に、前記垂下位置において前記係合部と係合する請求項３に記載の引出し連動装置。
【請求項５】
前記アシスト部材は前記揺動アームを垂下位置に戻す付勢手段を有すると共に、前記垂下位置において前記係合部と係合する請求項３に記載の引出し連動装置。
【発明の詳細な説明】
【技術分野】
【０００１】
本発明は引出し連動装置に係り、特に、外引出しの上部に設置された内引出しを外引出しと同一方向にスライドさせる引出し連動装置に関するものである。
【背景技術】
【０００２】
従来のこの種の引出し連動装置として、例えば、特許文献１に示すものが知られている。この引出し連動装置では、連動機構が、下側ラックと、この下側ラックと噛み合う下側ギアと、この下側ギアと噛み合う上側ギアと、さらにこの上側ギアと噛み合う上側ラックと、を備えた構成となっており、外引出しを一定距離引出したところで、連動機構によって外引出しと内引出しとが連動して引出される。
【先行技術文献】
【特許文献】
【０００３】
【特許文献１】特開２０１１−９８１１０号公報
【発明の概要】
【発明が解決しようとする課題】
【０００４】
しかしながら、特許文献１の引出し連動装置では、引出しが閉じるときに、全閉直前でゆっくり確実に閉めるためのクローザーが外引出しと内引出しとの双方のレールに設けられている。また、クローザーは閉まる直前にばねに貯まったエネルギーで引き込みつつ、ダンパーでゆっくり閉めるものが一般的である。そして、ばねにエネルギーを貯めるには、引出しの引き始めにばねの抗力に逆らってばねを伸ばす必要がある。このため、外引出しのクローザーの抗力と内引出しのクローザーの抗力とによって、収納位置（全閉位置）にある外引出しと内引出しとを同時に引出す際の引出し操作力が大きくなる。
【０００５】
本発明は上記事実を考慮し、収納位置にある外引出しと内引出しとを同時に引出す際の引出し操作力を軽減できる引出し連動装置を得ることを課題とする。
【課題を解決するための手段】
【０００６】
請求項１に記載の発明は、筐体に出し入れ可能に配置された外引出しと、前記筐体に出し入れ可能に配置され前記外引出しの内部上方に設けられた内引出しと、前記筐体の内側面に前記外引出しと前記内引出しの移動方向に沿って設けられたカム部材と、前記筐体の内側面に前記外引出しと前記内引出しの移動方向に揺動可能に設けられ、揺動中心から離間した位置の第１当接ピンと、前記揺動中心から前記第１当接ピンより離れた位置の第２当接ピンとが形成された揺動アームを備えたアシスト部材と、前記外引出しに設けられ、前記外引出しの引出し方向の位置に応じて前記カム部材により上方への突出量を調整されると共に、前記第２当接ピンと当接して、前記揺動アームを前記引出し方向へ揺動するラッチと、前記内引出しに設けられ、前記揺動アームが前記引出し方向へ揺動することで、前記第１当接ピンと当接して、前記内引出しを引出し方向へ移動させるストライカーと、を有する。
【０００７】
請求項１に記載の発明の引出し連動装置では、筐体の内側面に、カム部材が外引出しと内引出しの移動方向に沿って設けられており、外引出しを収納位置から引出した場合には、外引出しに設けたラッチが引出し方向へ移動する。また、ラッチが引出し方向へ移動すると、ラッチの引出し方向の位置に応じて、ラッチはカム部材によって上方への突出量を調整される。このため、上方へ突出量が所定値以上になると、ラッチが筐体の内側面に設けられたアシスト部材の揺動アームの第２当接ピンに当接し、揺動アームが外引出しの引出し方向へ揺動する。また、揺動アームが外引出しの引出し方向へ揺動すると、揺動アームの第１当接ピンが内引出しに設けられたストライカーと当接して、内引出しを引出し方向へ移動させる。この際、揺動アームに設けられた第２当接ピンの揺動中心からの距離が、揺動アームに設けられた第１当接ピンの揺動中心からの距離より長いため、「てこ」の原理により、外引出しの引出し操作力の一部を増幅して、内引出しの引出し操作力とすることができる。このため、収納位置にある外引出しと内引出しとを同時に引出す際の引出し操作力を軽減できる。
【０００８】
請求項２に記載の発明は請求項１に記載の引出し連動装置において、前記カム部材は、前記ラッチを前記第２当接ピンに当接させるための第１カム面と、前記第１カム面より前記引出し方向で且つ上方に形成され前記ラッチを前記ストライカーに当接させるための第２カム面と、を有する。
【０００９】
請求項２に記載の発明の引出し連動装置では、カム部材の第１カム面によって、ラッチを第２当接ピンに当接させることで、収納位置にある外引出しと内引出しとを同時に引出す際の引出し操作力を軽減した後にも、第１カム面より引出し方向で且つ上方に形成された第２カム面によって、ラッチがストライカーに当接させることで、外引出しに内引出しを連動させることができる。
【００１０】
請求項３に記載の発明は請求項１または請求項２に記載の引出し連動装置において、前記ストライカーに形成され、前記内引出しを収納方向へ移動することで、前記第１当接ピンと係合して前記揺動アームを待機位置に戻すための係合部を有する。
【００１１】
請求項３に記載の発明の引出し連動装置では、内引出しを収納方向へ移動すると、ストライカーに形成された係合部が揺動アームの第１当接ピンと係合して揺動アームを待機位置に戻す。このため、外引出しの引出し開始直後に、ラッチを揺動アームの第１当接ピンと当接させることが可能になり、引出し操作力を効率良く軽減できる。
【００１２】
請求項４に記載の発明は請求項３に記載の引出し連動装置において、前記揺動アームは自重によって垂下位置に戻ると共に、前記垂下位置において前記係合部と係合する。
【００１３】
請求項４に記載の発明の引出し連動装置では、揺動アームが自重によって垂下位置に戻ると共に、垂下位置においてストライカーの係合部と係合することによって待機位置に戻される。このため、簡単且つ少ない部品で揺動アームを待機位置に戻すことができる。
【００１４】
請求項５に記載の発明は請求項３に記載の引出し連動装置において、前記アシスト部材は前記揺動アームを垂下位置に戻す付勢手段を有すると共に、前記垂下位置において前記係合部と係合する。
【００１５】
請求項５に記載の発明の引出し連動装置では、アシスト部材の付勢手段が揺動アームを垂下位置に戻すと共に、垂下位置において揺動アームがストライカーの係合部と係合することによって待機位置に戻される。このため、揺動アームが垂下位置にある状態で、揺動アームの第１当接ピンにストライカーの係合部が当接した際に、アシスト部材の付勢手段によって揺動アームが振動するのを抑制できる。この結果、揺動アームの垂下位置において、揺動アームとストライカーとが当接した際に、異音が発生するのを防止できる。
【発明の効果】
【００１６】
請求項１に記載の本発明の引出し連動装置は、上記構成としたので、収納位置にある外引出しと内引出しとを同時に引出す際の引出し操作力を軽減できる。
【００１７】
請求項２に記載の本発明の引出し連動装置は、上記構成としたので、収納位置にある外引出しと内引出しとを同時に引出す際の引出し操作力を軽減した後も外引出しに内引出しを連動させることができる。
【００１８】
請求項３に記載の本発明の引出し連動装置は、上記構成としたので、引出し操作力を効率良く軽減できる。
【００１９】
請求項４に記載の本発明の引出し連動装置は、上記構成としたので、簡単且つ少ない部品で揺動アームを待機位置に戻すことができる。
【００２０】
請求項５に記載の本発明の引出し連動装置は、上記構成としたので、揺動アームの垂下位置において、揺動アームとストライカーとが当接した際に、異音が発生するのを防止できる。
【図面の簡単な説明】
【００２１】
【図１】本発明の一実施形態に係る引出し連動装置の要部の収納位置を示すキャビネット本体の側板を透かして見た概略側面図である。
【図２】本発明の一実施形態に係る引出し連動装置の要部のアシスト開始位置を示す図１に対応する側面図である。
【図３】本発明の一実施形態に係る引出し連動装置の要部のアシスト終了位置近傍を示す図１に対応する側面図である。
【図４】本発明の一実施形態に係る引出し連動装置の要部の連動終了位置近傍を示す図１に対応する側面図である。
【図５】本発明の一実施形態に係る引出し連動装置の要部を示す斜め前方下側から見た斜視図である。
【図６】本発明の一実施形態に係る引出し連動装置の要部を示す正面図である。
【図７】本発明の一実施形態に係る引出し連動装置の要部を示す図１に対応する拡大側面図である。
【図８】本発明の一実施形態に係る引出し連動装置が適用されたキッチンキャビネットを示す斜め前方上側から見た斜視図である。
【発明を実施するための形態】
【００２２】
本発明の一実施形態に係る引出し連動装置について図１〜図８に従って説明する。なお、図中矢印ＦＲはキッチンキャビネット前方方向（引出し方向）を、矢印ＵＰはキッチンキャビネット上方方向を、矢印Ｗはキッチンキャビネット幅方向を、矢印ＩＮはキッチンキャビネット幅内側方向を示す。
【００２３】
図８に示すように、本実施形態の引出し連動装置が取付けられたキッチンキャビネット１０は筐体であるキャビネット本体１２を備えている。このキャビネット本体１２は、背板１２Ａと内側面としての左右の側板１２Ｂとによってコの字型に覆われた内部空間を備えており、背板１２Ａに対向する前面が開口部１２Ｃとなっている。
【００２４】
キッチンキャビネット１０は、キャビネット本体１２の内部に収容される外引出し１４と、この外引出し１４の内部上方に設けられた内引出し１６と、を備えている。
【００２５】
図１に示すように、外引出し１４及び内引出し１６のそれぞれの側部と、キャビネット本体１２における左右の側板１２Ｂの内側面とには、キャビネット本体１２に対して外引出し１４及び内引出し１６をキッチンキャビネット１０の前方となる引出し方向（矢印Ａ方向）と、キッチンキャビネット１０の後方となる収納方向（矢印Ｂ方向）にスライドさせるためのスライド機構２０、２２が設けられている。なお、これらのスライド機構２０、２２は、周知の構成であるため詳細な説明は省略するが、所定の範囲内で前後に外引出し１４及び内引出し１６を円滑にスライドさせて、且つ、外引出し１４及び内引出し１６を全開まで引出したときにも支持可能な構成である。
【００２６】
また、スライド機構２０、２２には、それぞれ図示を省略したクローザーが取付けられている。なお、これらのクローザーは、周知の構成であるため詳細な説明は省略するが、外引出し１４及び内引出し１６が引出し状態から収納方向に移動されると、全閉直前に、ばねに貯まったエネルギーで、外引出し１４及び内引出し１６を引き込みつつ、ダンパーでゆっくり閉めると共に、収納位置に保持するようになっている。
【００２７】
外引出し１４はキャビネット本体１２の開口部１２Ｃを覆う鏡板（前板）１４Ａと、鏡板１４Ａに対向する背面側に設けられた背板１４Ｂと、２枚の側板１４Ｃと、底板１４Ｄとを備えている。また、外引出し１４は鏡板１４Ａと背板１４Ｂと２枚の側板１４Ｃと底板１４Ｄとで覆われ、上部が開口された収納空間１４Ｅを有する。
【００２８】
内引出し１６は前板１６Ａと、前板１６Ａに対向する背面側に設けられた背板１６Ｂと、２枚の側板１６Ｃと、底板１６Ｄとを備えている。また、内引出し１６は前板１６Ａと背板１６Ｂと２枚の側板１６Ｃと底板１６Ｄとで覆われ、上部が開口された収納空間１６Ｅを有する。
【００２９】
なお、内引出し１６の収納空間１６Ｅの奥行き長さは、外引出し１４の収納空間１４Ｅの奥行き長さより短くなっており、外引出し１４の収納空間１４Ｅは、外引出し１４の鏡板１４Ａと内引出し１６の前板１６Ａとの間の前側空間と、内引出し１６の前板１６Ａと外引出し１４の背板１４Ｂとの間の後側空間とに分割されている。よって、外引出し１４の収納空間１４Ｅにおける後側空間には、外引出し１４の底板１４Ｄから内引出し１６の底板１６Ｄまでの高さで収まる台所用品が収納され、この後側空間では収容できない高さとなる台所用品が、前側空間に収納されるようになっている。
【００３０】
（引出し連動装置）
図１に示すように、キャビネット本体１２における左右の側板１２Ｂの内側面には、それぞれカム部材２６が設けられている。なお、図１〜図４には、図面手前側の側板１２Ｂに取付けられたカム部材２６が示されている。これらのカム部材２６は長尺状とされており、長手方向を外引出し１４と内引出し１６の移動方向（矢印Ａ及び矢印Ｂ）となるキャビネット本体１２の前後方向に沿って設けられている。なお、カム部材２６は内引出し１６の底板１６Ｄの下方であって、外引出し１４の背板１４Ｂ及び側板１４Ｃに隣接した位置に配置されている。
【００３１】
図５に示すように、カム部材２６はキャビネット本体１２の側板１２Ｂから幅方向内側に突出している。また、カム部材２６の上部には、ラッチ用カム面４０が、カム部材２６の長手方向（外引出し１４と内引出し１６の移動方向）に沿って形成されている。より具体的に説明すると、ラッチ用カム面４０は、カム部材２６の上壁部で構成されており、ラッチ用カム面４０は、カム部材２６の長手方向に沿って上下方向の位置が変化している。
【００３２】
図１に示すように、外引出し１４における背板１４Ｂの幅方向両側の上部には、ラッチユニット３６が配設されている。なお、図１〜図４には、図面手前側のラッチユニット３６が示されている。図５に示すように、ラッチユニット３６は、箱状のケース３６Ａを備えている。また、ケース３６Ａの内部には、ラッチ５０が配置されており、ラッチ５０は上方向（矢印Ｃ方向）と下方向（矢印Ｄ方向）とへ移動可能とされている。
【００３３】
図６に示すように、ラッチ５０の本体部５０Ａは上下方向に沿った長尺状となっており、本体部５０Ａからは、ストッパ５０Ｂが幅方向外側へ突出するように形成されている。また、ストッパ５０Ｂの下端は、カム部材２６に上方から当接している。なお、ケース３６Ａの内部には、図示を省略した付勢手段、例えばコイルスプリングが配置されており、ラッチ５０をラッチ用カム面４０へ押し当てる方向（矢印Ｄ方向）へ付勢している。
【００３４】
図５に示すように、ラッチ５０の本体部５０Ａの上端後部は、前方上側から後方下側に向かって傾斜した傾斜面５０Ｃとなっており、本体部５０Ａの上端前部は垂直面５０Ｄとなっている。
【００３５】
図７に示すように、ラッチ用カム面４０は、後端部が前方に向かって高さが高くなる上り勾配の後端傾斜面４０Ａとなっている。また、ラッチ用カム面４０における後端傾斜面４０Ａの前方側には、前方に向かって高さがなだらかに低くなる下り勾配の後、平面となった第１カム面４０Ｂが形成されており、ラッチ用カム面４０における第１カム面４０Ｂの前方側は、前方に向かって高さが高くなる上り勾配の中間傾斜面４０Ｃとなっている。さらに、ラッチ用カム面４０における中間傾斜面４０Ｃの前方側には平面となった第２カム面４０Ｄが形成されており、ラッチ用カム面４０における第２カム面４０Ｄの前方側は、前方に向かって高さが低くなる下り勾配の前端傾斜面４０Ｅとなっている。
【００３６】
なお、第１カム面４０Ｂのカム部材２６の下端２６Ａからの高さは、後部の高さＨ１に比べて前部の高さＨ２が僅かに低くなっている。また、第２カム面４０Ｄのカム部材２６の下端２６Ａからの高さＨ３は、第１カム面４０Ｂの最高位置のＨ１より高くなっている。
【００３７】
図１に示すように、キャビネット本体１２における左右の側板１２Ｂの内側面には、それぞれカム部材２６の上方位置にアシスト部材６０が固定されている。なお、図１〜図４には、図面手前側の側板１２Ｂに取付けられたアシスト部材６０が示されている。図５に示すように、アシスト部材６０には揺動アーム６２が軸６４によって、外引出し１４と内引出し１６との引出し方向（矢印Ｅ方向）と収納方向（矢印Ｆ方向）に揺動可能に軸支されている。
【００３８】
また、揺動アーム６２の長手方向中間部には第１当接ピン６６が幅方向内側へ突出するように形成されており、揺動アーム６２の先端部には第２当接ピン６８が幅方向内側へ突出するように形成されている。このため、図７に示すように、揺動中心Ｐ１から距離は第１当接ピン６６の距離Ｌ１より第２当接ピン６８の距離Ｌ２が長くなっている（Ｌ１＜Ｌ２）。
【００３９】
図５に示すように、内引出し１６の前後方向の後端下部には、前後方向に長い長尺状とされたストライカー７０がブラケット７２を介して取付けられている。なお、ストライカー７０は、ブラケット７２の下端部に図示しない締結具により固定されており、ブラケット７２の上端部は、内引出し１６の底板１６Ｄに図示しない締結具により固定されている。
【００４０】
ストライカー７０の下面は後端部が後方上側から前方下側に向かう後端傾斜面７０Ａとなっている。また、ストライカー７０の下面における後端傾斜面７０Ａの前方側には平面となった後部面７０Ｂが形成されており、後部面７０Ｂの前方側は、後方下側から前方上側に向かう中間傾斜面７０Ｃとなっている。ストライカー７０の下面における中間傾斜面７０Ｃの前方側には平面となった中間面７０Ｄが形成されている。また、ストライカー７０の下面における中間面７０Ｄの前方側には、中間面７０Ｄより下方において平面となった前部面７０Ｅが形成されており、中間面７０Ｄと前部面７０Ｅとの境は上下方向に沿った鉛直面７０Ｆとなっている。さらに、ストライカー７０の下面における前部面７０Ｅの前方側は後方下側から前方上側に向かう前端傾斜面７０Ｇとなっている。
【００４１】
図７に示すように、ストライカー７０における後端部の幅方向内側となる部位には係合部としての係合部凹部７１が形成されており、係合部凹部７１の前端部７１Ａは垂直面となっている。また、係合部凹部７１の前端部７１Ａは後部面７０Ｂの上方に位置しており、係合部凹部７１には揺動アーム６２の第１当接ピン６６が当接可能となっている。
【００４２】
なお、図１に示すように、内引出し１６が収納位置にある場合には、第１当接ピン６６がストライカー７０の係合部凹部７１に係合した状態で後方へ揺動され待機位置となる。このため、内引出し１６が収納位置にある場合には、揺動アーム６２は図１の待機位置に保持されるようになっている。
【００４３】
図２に示すように、外引出し１４を収納位置から引出すことにより、ラッチユニット３６がカム部材２６のラッチ用カム面４０の後端傾斜面４０Ａを通過し、第１カム面４０Ｂに移動するようになっている。また、ラッチ５０のストッパ５０Ｂの下端が、ラッチ用カム面４０の第１カム面４０Ｂに当接し、ラッチ５０は上方に僅かに押し上げられると、ラッチ５０の上方への突出量が僅かに大きくなる。このため、ラッチ５０が揺動アーム６２の第２当接ピン６８に係合してアシスト区間となる。なお、このアシスト区間では揺動アーム６２の第１当接ピン６６が、ストライカー７０の係合部凹部７１の前端部７１Ａに当接している。このため、外引出し１４とともに、内引出し１６が前方へ連動するようになっている。
【００４４】
この際、揺動アーム６２に設けられた第２当接ピン６８の揺動中心Ｐ１からの距離Ｌ２が、揺動アーム６２に設けられた第１当接ピン６６の揺動中心Ｐ１からの距離Ｌ１より長い。このため、「てこ」の原理により、外引出し１４の引出し力の一部を増幅して、内引出し１６の引出し操作力とすることができるようになっている。即ち、アシスト部材６０が無い場合には、外引出し１４におけるクローザーの引張り力（抗力）Ｆ１と内引出し１６におけるクローザーの引張り力（抗力）Ｆ２の和（Ｆ１＋Ｆ２）より大きな引出し操作力Ｆ３＞Ｆ１＋Ｆ２が必要になる。一方、本実施形態では、アシスト部材６０によるアシストにより、内引出し１６におけるクローザーの引張り力Ｆ２に対してＦ２・（Ｌ１／Ｌ２）より大きな力で揺動アーム６２を前方へ揺動すれば内引出し１６を引出せる。このため、引出し操作力Ｆ１＋Ｆ２より小さい引出し操作力Ｆ４＞Ｆ１＋Ｆ２・（Ｌ１／Ｌ２）で外引出し１４と内引出し１６とをキャビネット本体１２から引出すことが可能になる。
【００４５】
また、外引出し１４が引出され、ラッチ５０がラッチ用カム面４０の中間傾斜面４０Ｃに到達するまでは、揺動アーム６２が前方へ揺動し、内引出し１６も前方へ引出される（アシスト区間）。
【００４６】
なお、このアシスト区間では、ラッチ５０のストッパ５０Ｂの下端が、ラッチ用カム面４０の第１カム面４０Ｂに当接しており、ラッチ５０の上方への突出量が小さくなっている。このため、ラッチ５０の上端前部の垂直面５０Ｄがストライカー７０の鉛直面７０Ｆ（図７参照）に係合しないようになっている。
【００４７】
図３に示すように、外引出し１４がさらに引出され、ラッチ５０がラッチ用カム面４０の中間傾斜面４０Ｃに達すると、揺動アーム６２が前側上方へ揺動するため、ラッチ５０が揺動アーム６２の第２当接ピン６８から外れアシスト区間が終了するようになっている。
【００４８】
なお、アシスト区間が終了すると、揺動アーム６２は自重によって図４に示す垂下位置に戻るようになっている。
【００４９】
また、外引出し１４がさらに引出され、ラッチ５０がラッチ用カム面４０の中間傾斜面４０Ｃを通過して第２カム面４０Ｄへ移動すると、ラッチ５０のストッパ５０Ｂの下端が、ラッチ用カム面４０の第２カム面４０Ｄに当接して、ラッチ５０は上方に押し上げられ、上方への突出量が最も大きくなる。このため、ラッチ５０がストライカー７０の鉛直面７０Ｆに係合するようになっている。従って、外引出し１４がさらに引出され、ラッチ５０がラッチ用カム面４０の下り勾配の前端傾斜面４０Ｅに到達するまでは、内引出し１６も外引出し１４に連動して前方へ引出される連動区間となっている。
【００５０】
図４に示すように、外引出し１４がさらに引出され、ラッチ５０がラッチ用カム面４０の前端傾斜面４０Ｅに達すると、ラッチ５０は下方に移動し、上方への突出量が小さくなる。このため、ラッチ５０がストライカー７０の鉛直面７０Ｆに係合しない位置に退避され、ラッチ５０（外引出し１４）とストライカー７０（内引出し１６）との係合が解除され空走区間となる。このため、外引出し１４のみ引出されるようになっている。
【００５１】
なお、前方側にあるラッチ５０（外引出し１４）に対してストライカー７０（内引出し１６）を引出し方向へ強制的に移動させる場合には、ラッチ５０の上部後端の傾斜面５０Ｃとストライカー７０における中間傾斜面７０Ｃまたは前端傾斜面７０Ｇとが摺動し、ラッチ５０が付勢力に抗して下方へ移動することで、ラッチ５０（外引出し１４）とストライカー７０（内引出し１６）との係合が解除されるようになっている。
【００５２】
また、内引出し１６を収納方向に移動させると、ストライカー７０の係合部凹部７１の前端部７１Ａが揺動アーム６２の第１当接ピン６６が係合し、揺動アーム６２を待機位置に戻すようになっている。そして、内引出し１６が収納位置に戻ると、ストライカー７０の係合部凹部７１によって、揺動アーム６２が待機位置に保持されるようになっている。
【００５３】
（作用・効果）
次に、本発明の一実施形態に係る引出し連動装置の作用及び効果について説明する。
【００５４】
図１に示すように、キャビネット本体１２の内部に、外引出し１４と内引出し１６とが完全に収納されている収納位置では、外引出し１４の背板１４Ｂと、内引出し１６の背板１６Ｂと、前後方向において略同じ位置となっていると共に、外引出し１４の鏡板１４Ａに対して、内引出し１６の前板１６Ａが後方側に離間した位置となっている。
【００５５】
この収納位置から外引出し１４を引出すと、外引出し１４はスライド機構２０によって、引出し方向（矢印Ａ方向）へ移動を開始し、外引出し１４の背板１４Ｂに設けられたラッチユニット３６がカム部材２６の後端部に移動する。
【００５６】
このとき、ラッチユニット３６のラッチ５０は下方に移動しており、上方への突出量が少なくなっている。また、ラッチ５０が揺動アーム６２の第２当接ピン６８に到達していないため、空走区間となっており、外引出し１４は移動するが、内引出し１６は移動しない。
【００５７】
次に、図２に示すように、外引出し１４をさらに引出し、ラッチユニット３６がカム部材２６に達し、ラッチ５０のストッパ５０Ｂが、ラッチ用カム面４０の後端傾斜面４０Ａに沿って移動し、第１カム面４０Ｂに達すると、ラッチ５０は上方に押し上げられ、上方への突出量が大きくなる。このため、ラッチ５０が待機位置となっている揺動アーム６２の第２当接ピン６８に当接する。また、待機位置となっている揺動アーム６２の第１当接ピン６６がストライカー７０の係合部凹部７１に係合しているためアシストが開始となる。この結果、外引出し１４を引出すことで、揺動アーム６２が前方へ揺動し、ストライカー７０を介して内引出し１６も引出し方向（矢印Ａ方向）に移動する。
【００５８】
なお、このとき、ラッチ５０が揺動アーム６２の第２当接ピン６８に当接しており、ストライカー７０の係合部凹部７１が揺動アーム６２の第１当接ピン６６に当接しているため、ストライカー７０はラッチ５０に対して収納方向（矢印Ｂ方向）へ移動できない。即ち、内引出し１６は外引出し１４に対して収納方向（矢印Ｂ方向）へ分離できない。
【００５９】
また、ラッチ５０（外引出し１４）に対してストライカー７０（内引出し１６）を引出し方向（矢印Ａ方向）へ強制的に移動させる場合には、ストライカー７０の係合部凹部７１と揺動アーム６２の第１当接ピン６６との係合が解除される。このため、内引出し１６を外引出し１４に対して引出し方向（矢印Ａ方向）へ強制的に分離できる。
【００６０】
次に、図３に示すように、外引出し１４をさらに引出すと、揺動アーム６２が前方へ揺動することで、揺動アーム６２の第２当接ピン６８が前側上方へ揺動する。このため、ラッチユニット３６がカム部材２６のラッチ用カム面４０の中間傾斜面４０Ｃに達すると、揺動アーム６２の第２当接ピン６８がラッチ５０から外れアシストが終了する。
【００６１】
次に、外引出し１４をさらに引出すと、ラッチ５０のストッパ５０Ｂが、カム部材２６のラッチ用カム面４０の中間傾斜面４０Ｃに沿って移動し、第２カム面４０Ｄに達する。さらに、第２カム面４０Ｄを通過し、前端傾斜面４０Ｅに移動してしばらくの間は、ラッチ５０は上方に押し上げられ、上方への突出量が大きくなっている。このため、図４に示すように、ラッチ５０がストライカー７０の鉛直面７０Ｆに当接し続けることで、外引出し１４とともに内引出し１６が引出し方向（矢印Ａ方向）に移動する（連動区間）。
【００６２】
なお、このとき、ラッチ５０がストライカー７０の鉛直面７０Ｆに当接しているため、ストライカー７０はラッチ５０に対して収納方向（矢印Ｂ方向）へ移動できない。即ち、内引出し１６は外引出し１４に対して収納方向（矢印Ｂ方向）へ分離できない。
【００６３】
また、ラッチ５０（外引出し１４）に対してストライカー７０（内引出し１６）を引出し方向（矢印Ａ方向）へ強制的に移動させる場合には、ストライカー７０の中間傾斜面７０Ｃとラッチ５０の傾斜面５０Ｃとが摺動する。このため、ラッチ５０が下方へ移動し、ストライカー７０とラッチ５０との係合が解除されることで、内引出し１６を外引出し１４に対して引出し方向（矢印Ａ方向）へ強制的に分離できる。
【００６４】
次に、外引出し１４をさらに引出し、ラッチ５０のストッパ５０Ｂが、カム部材２６のラッチ用カム面４０の前端傾斜面４０Ｅの前方側に達すると、ラッチ５０は下方に移動し、上方への突出量が小さくなる。このため、外引出し１４と内引出し１６との連動区間が終了する。
【００６５】
また、連動区間が終了すると、必要に応じて、内引出し１６のみを引出し方向と収納方向との双方へ移動し、外引出し１４の開口面積を調整することができる。
【００６６】
一方、外引出し１４は引出し状態から収納方向（矢印Ｂ方向）に移動され収納位置に接近すると、クローザーによって図１に示す収納位置に引き込まれ停止する。また、内引出し１６も引出し状態から収納方向（矢印Ｂ方向）に移動され収納位置に接近すると、クローザーによって図１に示す収納位置に引き込まれ停止する。
【００６７】
以上のように、本実施形態では、外引出し１４と内引出し１６とがそれぞれクローザーによって、図１に示す収納位置に保持されている状態で、外引出し１４をキャビネット本体１２から引出す際に、内引出し１６においては、アシスト部材６０により引出し操作力を軽減できる。即ち、アシスト部材６０の揺動アーム６２に設けられた第２当接ピン６８の揺動中心Ｐ１からの距離Ｌ２が、第１当接ピン６６の揺動中心Ｐ１からの距離Ｌ１より長くなっている（Ｌ１＜Ｌ２）。このため、「てこ」の原理により、外引出し１４の引出し力の一部を増幅して、内引出し１６の引出し操作力とすることができる。
【００６８】
これに対して、アシスト部材６０が無い構成の場合には、外引出し１４におけるクローザーの引張り力Ｆ１と、内引出し１６におけるクローザーの引張り力Ｆ２の和（Ｆ１＋Ｆ２）より大きな引出し操作力Ｆ３＞Ｆ１＋Ｆ２が必要になる。
【００６９】
この結果、本実施形態では、引出し操作力Ｆ３より小さい引出し操作力Ｆ４＞Ｆ１＋Ｆ２・（Ｌ１／Ｌ２）で収納位置にある外引出し１４と内引出し１６とをキャビネット本体１２から引出すことが可能になる。このため、収納位置にある外引出し１４と内引出し１６とを同時に引出す際の引出し操作力を軽減できる。
【００７０】
また、本実施形態では、カム部材２６の第１カム面４０Ｂにおいて、ラッチ５０を揺動アーム６２の第２当接ピン６８に当接させることで、収納位置にある外引出し１４と内引出し１６とを同時に引出す際の引出し操作力を軽減した後に、第２カム面４０Ｄによって、ラッチ５０をストライカー７０の鉛直面７０Ｆに当接させることができる。このため、アシスト区間が終了した後も外引出し１４に内引出し１６を連動させることができる。
【００７１】
また、本実施形態では、揺動アーム６２が自重によって垂下位置に戻ると共に、ストライカー７０の係合部凹部７１によって揺動アーム６２が待機位置に戻される構成となっている。このため、外引出し１４の引出し開始直後に、ラッチ５０を揺動アーム６２の第１当接ピン６６と当接させることが可能になり、アシスト区間を長くできる。この結果、引出し操作力を効率良く軽減できる。また、簡単且つ少ない部品で揺動アーム２６を待機位置に戻すことができる。
【００７２】
（その他の実施形態）
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、揺動アーム６２が自重によって垂下位置に戻ると共に、ストライカー７０によって待機位置に戻される構成としたが、これに代えて、図４に二点鎖線で示すように、アシスト部材６０に付勢手段としてのスプリング８０を設け、スプリング８０の付勢力によって揺動アーム６２を垂下位置に戻す構成としてもよい。また、この構成とした場合には、揺動アーム６２が垂下位置にある状態で、揺動アーム６２の第１当接ピン６６にストライカー７０の係合部凹部７１が当接した際に、スプリング８０によって揺動アーム６２が振動（バウンド）するのを抑制できる。この結果、揺動アーム６２とストライカー７０とが当接した際に異音が発生するのを防止できる。
【００７３】
また、上記実施形態では、本発明の引出し連動装置を、外引出し１４と内引出し１６とにそれぞれクローザーが取付けられた構成について説明したが、本発明の引出し連動装置は外引出し１４と内引出し１６との少なくとも一方にクローザーが取付けられていない構成においても、収納位置にある外引出し１４と内引出し１６とを同時に引出す際の引出し操作力を軽減できる。
【００７４】
また、上記実施形態では、本発明の引出し連動装置を図８に示すキッチンキャビネット１０に適用したが、本発明の引出し連動装置は、加熱調理部を備えたレンジ台が引出しの上方を覆う天板上に設置されるシステムキッチン等にも適用可能である。さらに、キッチン以外で使用するキャビネットの引出しにも適用可能である。
【符号の説明】
【００７５】
１０    キッチンキャビネット
１２    キャビネット本体（筐体）
１２Ｂ    側板（内側面）
１４    外引出し
１６    内引出し
２６    カム部材
３６    ラッチユニット
４０    ラッチ用カム面
４０Ｂ    第１カム面
４０Ｄ    第２カム面
５０    ラッチ
６０    アシスト部材
６２    揺動アーム
６６    第１当接ピン
６８    第２当接ピン
７０    ストライカー
７１    ストライカーの係合部凹部（係合部）
８０    スプリング（付勢手段）
【図１】
0005827911.tif 000002
【図２】
0005827911.tif 000003
【図３】
0005827911.tif 000004
【図４】
0005827911.tif 000005
【図５】
0005827911.tif 000006
【図６】
0005827911.tif 000007
【図７】
0005827911.tif 000008
【図８】
0005827911.tif 000009